(57)【要約】流体バルブのピストンアクチュエータ（２００）との利用のためのバイアス装置には、管状シートメンバー（２２１）、管状保持メンバー（２２５）、管状保持ブラケット（２２３）、および前記管状シートメンバーの外側環状フランジと、前記管状シートブラケットの外側環状フランジ間に配置されたバイアス要素（２２２）が含まれる。管状保持メンバーは、管状シートメンバー内に部分的に位置し、管状保持メンバーは、管状シートブラケットの内側フランジ中の穴を通して通過し、管状保持メンバーは、管状シートブラケットの内側フランジ中の穴を通して通過する。バイアスメンバーは、管状シートメンバーの外側環状フランジに対して、および管状シートブラケットの外部環状フランジに対して収納される。【選択図】図２
2013541685.tif 000002
【特許請求の範囲】
【請求項１】
流体バルブのピストンアクチュエータとともに使用するためのバイアス装置であって、
中空管の第一末端にて外部環状フランジと、中空管の第二末端にて内部フランジを持つ管状シートメンバー、
第一末端にてプレートを持つ管状保持メンバーであって、前記プレートは、前記管状保持メンバーの外側エッジ下横方向に伸張し、前記管状保持メンバーの第一末端の周辺に外側フランジを形成する、
中空管中心部、前記中空管中心部の第一末端にて外側環状フランジ、および前記中空管中心部の第二末端にて内側フランジを持つ、管状保持ブラケット、
管状シートメンバーの外側環状フランジと、前記管状シートブラケットの外側環状フランジ間に位置するバイアス要素
を含むバイアス装置であって、
管状保持メンバーが、管状シートメンバー内に部分的に位置し、管状保持メンバーが、前記管状シートメンバーの内側フランジ中の穴を通して通過し、前記プレートは、管状シートメンバーの内側フランジ中の穴よりも大きく、
前記管状保持メンバーが、管状シートブラケット内に部分的に位置し、管状保持メンバーが、管状シートブラケットの内側フランジ内の穴を通して通過し、
前記バイアスメンバーが、管状シートメンバーの外側環状フランジに対して、および前記管状シートブラケットの外側環状フランジに対して位置される、バイアス装置。
【請求項２】
前記バイアスメンバーがばねである、請求項１に記載のバイアス装置。
【請求項３】
前記管状シートメンバーと、前記管状シートブラケットの外側環状フランジがそれぞれ、前記ばねの末端を受領するための凹部を含む、請求項１から２のいずれか1項に記載のバイアス装置。
【請求項４】
さらに、前記管状保持メンバーに着脱可能に取り付けられた管状保持伸張を含み、前記管状保持伸張が、管状保持メンバーを伸ばす、請求項１から３のいずれか１項に記載のバイアス装置。
【請求項５】
前記管状保持伸張が、ねじ式連結にて、前記管状保持メンバーに着脱可能に取り付ける、請求項１から４のいずれか1項に記載のバイアス装置。
【請求項６】
前記管状保持メンバーが、管状保持メンバーの第二末端上でねじ接続された保持ナットで固定され、保持ナットが、管状シートブラケットの中空管中心部の第二末端によって形成された凹部中に位置される、請求項１から５のいずれか1項に記載のバイアス装置。
【請求項７】
前記保持ナットが、前記管状保持メンバー上にねじ接続された後、前記管状保持メンバーに溶接される、請求項１から６のいずれか1項に記載のバイアス装置。
【請求項８】
前記バイアス要素が、バルブ幹とバルブプラグを開放位置にバイアスをかける、請求項１から７のいずれか1項に記載のバイアス装置。
【請求項９】
前記バイアス要素が、バルブ幹とバルブプラグを閉鎖位置にバイアスをかける、請求項１から８のいずれか1項に記載のバイアス装置。
【請求項１０】
さらに、管状保持メンバーの外側表面上に位置する締め具を含む、請求項１から９のいずれか1項に記載のバイアス装置。
【請求項１１】
前記締め具が、管状シートメンバーの内側フランジ中で形成されるスロット中に適合する、請求項１から１０のいずれか1項に記載のバイアス装置。
【請求項１２】
前記管状保持メンバーが、管状シートメンバー内で回転可能であり、組み立ての間、管状保持メンバーが管状シートメンバー内に挿入される時に、締め具がスロットと合致し、スロットを通して締め具が通過した後、管状保持メンバーが、締め具およびスロットが合致しないように回転する、請求項１から１１のいずれか1項に記載のバイアス装置。
【請求項１３】
さらに、前記管状シートメンバーの内側表面上に位置する締め具が含まれる、請求項１から１２のいずれか1項に記載のバイアス装置。
【請求項１４】
前記締め具が、管状保持メンバーの外側フランジ中に形成されるスロット中に適合する、請求項１から１３のいずれか1項に記載のバイアス装置。
【請求項１５】
前記管状保持メンバーが、管状シートメンバー内で回転可能であり、組み立ての間締め具がスロットと合致し、管状保持メンバーが管状シートメンバー内に挿入される時に、締め具およびスロットが合致しない、請求項１から１４のいずれか1項に記載のバイアス装置。
【請求項１６】
流体入口および流体出口を持つバルブ本体、
流体入口と流体出口間のバルブ本体中に位置し、前記バルブ本体を通した流体の流れを制御しているバルブプラグ、
前記バルブ本体と、前記バルブプラグに動作可能に連結し、開放位置と閉鎖位置間にバルブプラグを動かすために構成されるアクチュエータ、および
アクチュエータ内に位置し、外側環状フランジと内側フランジを持つ管状シートメンバー、外側管状フランジを形成している第一末端にてプレートを持つ管状シートブラケット、中空管中心部の１つの末端に位置する外側環状フランジと中空管中心位置の他の末端にて位置する内側フランジを持つ管状シートブラケット、管状保持メンバーの第二末端上に位置する保持ナット、および管状シートメンバーと管状シートブラケット間に位置するバイアス要素を含むバイアスデバイス、
を含む流体バルブ。
【請求項１７】
さらに、アクチュエータ内に位置するピストンを含み、前記ピストンは、バルブプラグに動作可能に連結し、前記バイアス要素が、ピストンに動作可能に連結する、請求項１６に記載の流体バルブ。
【請求項１８】
前記バイアス要素が、前記バルブプラグを開放位置にバイアスをかける、請求項１６から１７のいずれか1項に記載の流体バルブ。
【請求項１９】
前記バイアス要素が、前記バルブプラグを閉鎖位置にバイアスをかける、請求項１６から１８のいずれか1項に記載の流体バルブ。
【請求項２０】
流体制御バルブのためにバイアス要素を製造する方法であって、
管状シートメンバーを提供することであって、前記管状シートメンバーが、１つの末端で外側環状フランジを、他の末端で内側フランジをもつ、
管状シートブラケットを提供することであって、前記管状シートブラケットが、中空管中心部位、１つの末端にて外側環状フランジ、他の末端にて内側フランジを持つ、
管状保持メンバーを提供することであって、前記管状保持メンバーが、１つの末端でプレートを持ち、前記プレートが、外側表面下横方向に伸張し、前記プレートが外側フランジを形成する、
前記管状保持メンバーを、外側環状フランジに近位の、管状シートメンバー内の第一穴を通して、および内側フランジに近位の、管状シートメンバー中の第１穴を通して、挿入すること、
バイアス要素を、管状保持メンバー上、および管状シートメンバー上にスライドさせること、
前記管状保持メンバーが、内側フランジに近位の管状シートブラケット中の第一穴を通して、そして外側環状フランジの近位の、前記管状シートブラケット中の第二穴を通して、伸張するように、前記管状シートブラケットを、前記管状保持メンバーの１つの末端上にスライドさせること、および
保持ナットを、前記管状保持メンバーに固定すること、
を含む方法。
【発明の詳細な説明】
【技術分野】
【０００１】
本発明は一般にバイアス装置に関し、よりとりわけ、流体制御バルブのアクチュエータとの利用のためのバイアス装置に関する。
【背景技術】
【０００２】
流体制御バルブ（例えば直線バルブ、回転バルブなど）は一般に、プロセス流体の流れを制御するため、プロセス制御システム中で使用される。制御バルブは一般的に、制御バルブの操作を自動化するためのアクチュエータ（たとえば、空気圧式アクチュエータ、油圧アクチュエータなど）を含む。バイアス機能性を持つこれらのアクチュエータを提供するために、ばねが一般的に、制御バルブのピストンにバイアスを加えるために、および／または例えばシステム故障の間、フェイルセーフ位置（例えば開放位置または閉鎖位置）へ、制御バルブの流体制御メンバーを返還するために、アクチュエータ内に配置される。ばねが、バイアス機能性をもつアクチュエータを提供するけれども、アクチュエータの組立よび／または分解は、アクチュエータの異なる構成要素上のばねにより働く力のために、いくらか難しい可能性がある。
【０００３】
図１は、多数の締め具１０６を介した、バルブ１０４（例えばグローブバルブ、スライディング幹バルブ）の本体１０２に連結した公知のアクチュエータ１００を描写している。アクチュエータ１００には、多数のタイ(tie)ロッド１１４と締め具１１６を介して、第一プレート１１０と第二プレート１１２間に連結したシリンダー１０８が含まれる。シリンダー１０８は、ピストン１２０、ばね１２２、およびアクチュエータ幹１２４の一部がその中に配置されるチャンバー１１８を定義する。ピストンアクチュエータ内で、ばね１２２が、例えばシステム障害の間、ピストン１２０を介して、バルブ１０４の流体制御要素（例えばプラグ）（示していない）を、フェイルセール位置（例えば開放位置または閉鎖位置）へ動かすために、二重安全バイアス機能性を持つアクチュエータ１００を提供する。アクチュエータ幹１２４は、第二プレート１１２によって定義される開口部１２６と、アクチュエータ１００のヨーク１３０によって定義される開口部１２８を通して配置される。
【０００４】
実際、アクチュエータ１００は、バルブ１０４を通した流体の流れを制御するために、バルブ１０４に連結してよい。特に、アクチュエータ１００は、バルブ１０４内のアクチュエータ幹１２４に動作可能に連結した流体制御要素の位置を制御するために使用されてよい。操作において、バルブ１０４内の流体制御要素を移動させるために、圧力差が、第一チャンバー部分１３２と第二チャンバー部分１３４にわたって提供される。例えば、バルブ本体１０２中で、流体制御要素を垂直に下方に（例えば、バルブ本体１０２中のオリフィスまたはバルブシートに向かって）動かすために、例えばポート１４８を通して、流体（例えば、空気、プロセス流体、油圧流体など）をポンピングして、第一チャンバー部分１３２中の圧力を増加させることによって、第二プレート１１２に向かってピストン１２０が移動してよい。第一チャンバー部分１３２中の圧力が増加するので、ばね１２２を介してピストン１２０の第二表面１３８に対して働く力が、第一チャンバーピストン１３２中の圧力を介して、第一表面１３６に対して働く力によって圧倒されるまで、ピストン１２０の第一表面１３６に対して働く力がまた増加する。結果として、（一緒に連結する）ピストン１２０とアクチュエータ幹１２４が、第二プレート１１２に向かって移動し、バルブ１０４内で流体制御要素を移動させる。
【０００５】
あるいは、バルブ１０４内で、流体制御要素を垂直上方に移動させるために、ばね１２２を介して第二表面１３８上に働く力が、圧力を介して第一表面１３６上に働く力を圧倒するように、第一チャンバー部分１３２中の圧力を減少させるために、ポート１４８を通して流体を排出することによって第一プレート１１０に向かってピストン１２０が移動してよい。結果として、ピストン１２０とアクチュエータ幹１２４が、第一プレート１１０に向かって移動し、流体制御要素をバルブ１０４内で動かす。
【０００６】
アクチュエータ１００を組み立てるために、ばね１２２が、第二プレート１１２に隣接したチャンバー１１８中に配置し、ピストン１２０とアクチュエータ幹１２４がついで、ばね１２２と開口部１２６および１２８を通して導かれる。しかしながら、ばね１２２がチャンバー１１８内に配置される時に、ばね１２２は典型的に完全に減圧されるので、第一プレート１１０をアクチュエータ１００に連結することが難しい可能性がある。いくつかの例において、第一プレート１１０をアクチュエータ１００に連結することを可能にするために、ばね１２２が減圧され、および／またはピストン１２０に沿って、シリンダー１０８から部分的に伸張する時に、第一プレート１１０の開口部１４０が、タイロッド１１４と並ぶことを可能にするためにタイロッド１１４が長くなければならない。締め具１１６がタイロッド１１４上に堅く締められるので、第一プレート１１０がシリンダー１０８に向かって移動し、例えば第一プレート１１０がシリンダー１０８の末端１４２をかみ合わせるまで、ばね１２２を圧縮する。締め具１１６は、ばね１２２がシリンダー１０８中にシフトするおよび／または結合することを引き起こしうるシリンダー１０８の頂上に対して角度をなすようになることから第一プレート１１０を防止するために、組立の間、均一に堅く締められなければならない。アクチュエータ１００の分解の間、締め具１１６はタイロッド１１４から緩み、第一プレート１１０がアクチュエータ１００から除去可能である前に、ばね１２２が減圧される。
【発明の概要】
【課題を解決するための手段】
【０００７】
流体バルブのピストンアクチュエータとの利用のためのバイアス装置には、中空管の第一末端にて外部環状フランジと、中空管の第二末端にて内部フランジを持つ管状シートメンバー、管状保持メンバーの第一末端にてプレートを持つ管状保持メンバー、管状保持メンバーの第一末端の周辺に外側フランジを形成している管状保持メンバーの第一末端の外側エッジ下横方向に伸張しているプレート、中空管中心部を持つ管状保持ブラケット、中空管中心部の第一末端にて外部環状フランジ、および中空管中心部の第二末端にて内部フランジ、および管状シートメンバーの外部環状フランジと、管状シートブラケットの外部環状フランジ間に位置するバイアス要素が含まれる。管状保持メンバーは、管状シートメンバー内に部分的に位置し、管状保持メンバーは、管状シートメンバーの内部フランジ中の穴を通して通過する。管状保持メンバーは、管状シートブラケット内に部分的に位置し、管状保持メンバーは、管状シートブラケットの内部フランジ中の穴を通して通過する。バイアスメンバーは、管状シートメンバーの外部環状フランジに対して、および管状シートブラケットの外部環状フランジに対して収納される。
【図面の簡単な説明】
【０００８】
【図１】公知のアクチュエータおよびバルブを図示している。
【図２】本開示物の教義にしたがって構築されたバイアス装置の１つの実施形態を含むバルブおよびアクチュエータを図示している。
【図３】バイアス装置が部分的に圧縮位置である、バルブ、アクチュエータおよび図２のバイアス装置を図示している。
【図４】図２のバイアス装置の拡大横断面図を図示している。
【図５】図２のバイアス装置の初期組立位置横断面図を図示している。
【図６】ロックナットを含む図２のバイアス装置の中間組立位置の横断面図を図示している。
【図７】図２のバイアス装置の完全な組立位置の横断面図を図示している。
【図８】図２のバイアス装置の完全に圧縮した位置の横断面図を図示している。
【図９】図２のバイアス装置の透視図である。
【図１０】図２のバイアス装置の管状保持メンバーとロックナットの透視図である。
【図１１】図２のバイアス装置の管状シートメンバーの透視図である。
【図１２】管状保持メンバー上に位置する終止メンバーを含む、本開示物の教義にしたがって構築されたバイアス装置の他の実施形態の横断面図である。
【図１３】管状シートメンバーの内部環状フランジ中に形成される、終止メンバーとスロットを図示している、図１２のバイアス装置の上面図である。
【図１４】管状シートメンバーの内部表面上に位置する終止メンバーを含む、本開示物の教義にしたがって構築されたバイアス装置のもう一つ他の実施形態の横断面図である。
【発明を実施するための形態】
【０００９】
ある例が、以上で同定された図面にて示され、以下で詳細に記述される。これらの例を記述するに際して、同様のまたは同一の参照番号が、同一または同様の要素を同定するために使用される。図面は、大きさを合わせる必要はなく、ある特徴および図面のある図は、明確化および／または簡便さのために、大きさまたは概略において誇張して示されてよい。さらに、種々の例が本明細書のいたるところで記述されてきている。任意の例からの任意の特徴には、他の例に含まれ、他の例の代わりに、または他の例からの他の特徴と組み合わされてよい。
【００１０】
いくつかの例において、バイアス装置には、保持メンバーと一緒に伸縮自在に連結した反対のシートメンバーの末端間に配置されたプレロードされたばねが含まれる。シートメンバーと保持メンバーには、互いに対してシートおよび保持メンバーの移動量を制限するためにかみ合う、および／または連結する反対のフランジが含まれてよい。さらに、バイアス装置は、互いに対するシートまたは保持メンバーの移動量を制限するために、１つまたはそれ以上の移動終止をともなって提供されてよい。本明細書で記述される例示バイアス装置は、アクチュエータと利用されるように描写されている一方で、例示バイアス装置は、他の好適な適用で使用されてよい。
【００１１】
図２は、ヨークロックナット２９０を介して、バルブ１０４の本体１０２に連結する例示アクチュエータ２００（例えば、ピストンアクチュエータ、単一作用ピストンアクチュエータ、二重作用ピストンアクチュエータなど）を描写している。アクチュエータ２００には、多数のタイロッド２１４と締め具２１６を介して、第一プレート２１０と第二プレート２１２間を連結するシリンダー２０８が含まれる。上記図１で記述した公知のアクチュエータ１００とは異なって、シリンダー２０８は、その中にピストン２２０と例示バイアス装置２１９が配置されるチャンバー２１８を定義する。制御流体が、ポート２４７を介してチャンバー２１８の中外に輸送されてよい。バイアス装置２１９は、自給式ユニット、またはフェイルセーフバイアス機能性を持つ二重作用ピストンアクチュエータを提供するため、例示アクチュエータを組み立てることおよび／または分解することの複雑さを減少させ、安全性を改善するため、およびバイアス要素（例えばばね）の結合を減少させるために、チャンバー２１８内に配置されるモジュールであるように製造および／または産出してよい。さらに、バイアス装置２１９は、流体制御要素に動作可能に連結したピストンにバイアスをかけるために、単一作用ピストンアクチュエータとともに利用してよい。バイアス装置２１９はまた、フェイルセーフバイアス機能性を持つ単一作用ピストンアクチュエータを提供してよく、例示アクチュエータを組み立てること、および／または分解することの複雑さを減少させ、安全性を改善してもよい。図２で描写したように、バイアス装置２１９は、例えば開放位置および／またはフェイルセーフ位置（例えば開放位置または閉鎖位置）にて、ピストン２２０を介して流体制御要素の位置を決めるために伸張する。対照して、図３は、例えばバルブ１０４を通した流体フローの調整を可能にするために、少なくとも部分的に圧縮されたバイアス装置２１９と、第一プレート２１０からある距離をおいてピストン２２０を描写している。
【００１２】
例示バイアスデバイス２１９には、管状シートメンバー２２１、管状シートブラケット２２３、管状保持メンバー２２５、およびそれぞれ管状シートメンバー２２１と管状シートブラケット２２３の外部環状フランジ２２７および２２９間に配置されるバイアス要素２２２（例えばばね）が含まれる。バイアス要素２２２は、例えば開放位置で、バルブ１０４の流体制御メンバー（示していない）を配置するために、管状シートブラケット２２３から離れて、管状シートメンバー２２１を促す。他の実施形態において、バイアス要素２２２は、閉鎖位置にて、流体制御メンバーを配置するために、管状シートブラケットから離れて、管状シートメンバー２２１を促してよい。管状シートメンバー２２１は、管状保持メンバー２２５が少なくとも部分的に、管状シートメンバー２２１内に位置するように、管状保持メンバー２２５の外径２３３より大きな内径２３１をもってよい。管状シートメンバー２２１の外側フランジ２２７が、図２にて描写した例において、ピストン２２０に隣接して配置される一方で、あるいは、バイアス装置２１９の方向は、管状シートブラケット２２３の外部フランジ２２９がピストン２２０に隣接して配置されてよいように、反対であってよい。
【００１３】
管状シートブラケット２２３に対して管状シートメンバー２２１の移動を制限するため、および／または管状シートメンバー２２１と管状シートブラケット２２３を一緒に移動可能に連結するために、管状保持メンバー２２５が、管状シートメンバー２２１と管状シートブラケット２２３間で提供される。本例において、管状保持メンバー２２５には、管状保持メンバー２２５の第一末端にてプレート２３５が含まれ、プレート２３５は、外部フランジ２３７を形成している管状保持メンバー２２５の周辺の下で横方向に伸張している。外部フランジ２３７は、管状シートブラケット２２３の内部表面２３９に向かって伸びる、および／または隣接して配置される。管状保持メンバー２２５には、外側フランジ２３７と反対の、内部および／または外部スレッド２４５（例えば図４を参照のこと）が含まれてよい。外部スレッド２４５は、保持ナット２４２を受領してよく、外側環状フランジ２２７と反対の環状シートメンバー２２１の末端に形成される内部フランジ２４６中の穴２４４内に、管状保持メンバー２２５を固定する。内部スレッド２４５は、バイアス装置２１９の組立を補助するために、伸張メンバー２２５ｂを保持してよく、本明細書以下でさらに議論する。保持ナット２４２はまた、外側環状フランジ２２９と反対の管状シートブラケット２２３の末端で形成される内側フランジ２５０中の穴２４８（例えば図４を参照のこと）内に管状保持メンバーを固定する。管状シートブラケット２２３の本体２５２と、管状シートブラケット２２３の内側フランジ２５０は、保持ナット２４２を受領する凹面領域２５４を形成する。
【００１４】
アクチュエータ２００を組み立てるために、管状シートブラケット２２３の外側環状フランジ２２９が第二プレート２１２に隣接するように、バイアス装置２１９がチャンバー２１９内に配置される。ピストン２２０に連結したアクチュエータ幹２５６が、管状保持メンバー２２５、管状シートブラケット２２３中の穴２４８、およびそれぞれ第二プレート２１２とヨーク２６２によって定義された開口部２５８および２６０を通してガイドされる。ばね１２２（図１）が最初にチャンバー１１８（図１）中に配置される時に、ばね１２２（図１）が完全に圧縮される、以上で記述したアクチュエータ１００とは対照して、バイアス装置２１９のバイアス要素２２２は、管状シートメンバー２２１の外側環状フランジ２２７と、管状シートブラケット２２３の外側環状フランジ２２９間で圧縮され（例えばプレロードされ）、含まれる。言い換えれば、バイアス装置２１９は、アクチュエータ内にバイアス装置２１９の位置を決める前に、バイアスアセンブリとして前もって組み立てられてよい。さらに、バイアスメンバー２２２は、アクチュエータ２００の組立／分解の間に、保存されたエネルギーを放出しているバイアスメンバー２２２の危険がないように、環状シートメンバー２２１と環状シートブラケット２２３間で固定される。そのため、一旦バイアス装置２１９、アクチュエータ幹２５６およびピストン２２０が、チャンバー２１８内で配置されたならば、第一プレート２１０が、任意のさらなる手段および／または予防措置をとることなしに、アクチュエータ２００に連結されてよい。アクチュエータ２００を分解するために、締め具２１４を緩めてよく、第一プレート２１０が、バイアス要素２２２をまず減圧の必要なしに、除去されてよい。
【００１５】
環状シートメンバー２２１、環状シートブラケット２２３、環状保持メンバー２２５は、例えば円形、四角形、長方形、楕円形、多角形などのような、任意の横断面形状を実質的にもってよい。さらに、環状フランジは、部分的または完全なフランジであってよい。言い換えれば、本明細書で記述したフランジは、要素の周辺に完全に伸張する必要はなく、フランジは、要素の周辺に部分的にのみ伸張してよい。
【００１６】
図４〜８を参照して、バイアス装置２１９を組み立てるために、管状保持メンバー２２５、管状シートメンバー２２１、および管状シートブラケット２２３が、図４で図解したように、縦に整列する。管状保持メンバー２２５が、外部管状フランジ２２７の隣接の管状シートメンバー２２１中の第一穴２６４を通して、および管状シートメンバー２２１の内側フランジ２４６によって管状保持メンバー２２５の外側フランジ２３７が終止されるまで（図５を参照のこと）、内部フランジ２４６の隣接の管状シートメンバー２２１中の穴２４４を通して、挿入される。ついで管状シートメンバー２２１および管状保持メンバー２２５が、バイアスメンバー２２２の１つの末端が、外側環状フランジ２２７の１つの側面上の凹面領域であり得るシーティング表面２７２中に静置するように、バイアスメンバー２２２内に配置される。その後、管状シートブラケット２２３が、管状保持メンバー２２５が内側フランジ２５０の隣接の管状シートブラケット２２３中の穴２４８を通して、および外側環状フランジ２２９の隣接の管状シートブラケット２２３中の他の穴２７０を通して伸張するように、管状保持メンバー２２５上に配置される。バイアスメンバー２２２の第二末端が、外側環状フランジ２２９の１つの側上、シーティング表面２７２と同様に、シーティング表面２７４中に配置される。任意に、組立の前に、管状保持伸張２２５ｂ（図４）が、管状保持メンバー２２５（すなわち管状保持メンバー２２５を伸ばすため）、管状シートメンバー２２１、管状シートブラケット２２３の組立を促進するために、管状保持メンバー２２５の第一区画２２５ａに取り付けてもよい。管状保持伸張２２５ｂは、例えばスレッド、溶接、接着、圧接などのような、実質的に任意の取り付け方法によって、第一区画２２５ａに取り付けてもてよい。
【００１７】
一旦管状シートメンバー２２１、管状シートブラケット２２３、管状保持メンバー２２５、およびバイアスメンバー２２２が組み立てられたならば、保持ナット２４２が、管状保持メンバー２２５の１つの末端上でねじ接続され（図６および７を参照のこと）、保持ナットが、管状シートブラケット２２３の凹面領域２５４中に静置する。管状保持メンバー２２５が任意に伸張２２５ｂと適合され、伸張２２５ｂが、保持ナットが管状保持メンバー２２５に固定される前または後いずれかで除去されてよい。
【００１８】
図８は、管状シートメンバー２２１の内側フランジ２４６が、管状シートブラケット２２３の内側フランジ２５０に隣接して局在する、その完全な圧縮状態で、バイアス装置２１９を図示している。
【００１９】
図９〜１１は、組み立てられた状態中のバイアス装置２１９の透視図（図９）、管状保持メンバー２２５と保持ナット２４２（図１０）、および管状シートメンバー２２１（図１１）を図示している。図９で図示するように、バイアス装置２１９は、アクチュエータ中のインストールの前に前もって組み立ててよい。開示したバイアス装置２１９は、バイアス要素２２２が外部から抑圧されないので、バイアス要素２２２の結合を有利に減少させる。言い換えれば、バイアス装置２１９は、バイアス要素２２２がそれに対して結合しうる、外部キャニスター壁を含まない。さらに、バイアス要素２２２は完全に、外側フランジ２２７、２２９によって含まれ、バイアス装置２１９を外すことはできない。
【００２０】
操作において、バルブ１０４内の流体制御要素を移動させるために、圧力差が、第一チャンバー部分２７６と第二チャンバー部分２７８にわたって提供される（図２）。とりわけ、流体制御要素をオリフィスにむかって移動させるために、ピストン２２０の第一表面２８０上で働く力が、バイアス装置２１９のバイアス要素２２２を介して第二表面２８２に対して働く力を圧倒するように，ポート２４７を通してポンプされる。あるいは、流体要素を、オリフィスから離れて移動させるために、流体は、例えばバイアス装置２１９を介した第二表面２８２上で働く力が、第一チャンバー２７６中の圧力を介して、第一表面２８０上で働く力を圧倒するまで、ポート２４７を通して排出される。
【００２１】
図１２および１３は、管状保持メンバー２２５の外部表面に連結した終止２８４（例えば移動終止）を含むバイアス装置２１９の他の実施形態を図示している。終止２８４は、管状シートメンバー２２１の管状シートブラケット２２３への移動量を制限するために，管状シートメンバー２２１の内部フランジ２４６によってかみ合わされてよい。操作において、ピストン２２０の第一表面２８０上で働く力（図２）が、バイアス要素２２２を介して第二表面２８２上で働く力を圧倒するので、バイアス装置２１９が圧縮し、内側フランジ２４６が、管状シートメンバー２２１の管状シートブラケット２２３への移動量を制限するために、終止２８４をかみ合わせてよい。終止２８４を備えるバイアス装置２１９を提供するそのようなアプローチにより、流体制御要素の移動が、許容可能シリンダーストローク長にかかわらず、特定の適用に対して調整可能である。
【００２２】
図１２のバイアス装置２１９を組み立てるために、管状シートメンバー２２１の内側フランジ２４６には、１つまたはそれ以上のスロット２８６が含まれ（図１３）、終止２８４と適合する。管状保持メンバー２２５が、管状シートメンバー２２１内に挿入される時に、終止２８４がスロット２８６を通して通過するように、終止２８４がスロット２８６と整列する。一旦終止２８４がスロット２８６を通して通過するならば、管状保持メンバー２２５が、終止２８４がもはや（図１３中幻像にて示した）スロット２８６と整列しないように回転してよく、それによって、バイアス装置２１９の操作の間、終止２８４がスロット２８６を通して通過することを防止する。
【００２３】
開示したバイアス装置２１９のまた他の実施形態が図１４にて図示されている。本実施形態において、バイアス装置２１９には、管状シートメンバー２２１の内部表面上に配置された終止２８４が含まれてよい。管状保持メンバー２２５の外部フランジ２３７中のスロット（示していない）は、図１２および１３の実施形態のスロット２８６と同様に組立を促進する。操作において、終止２８４は、終止２８４が、管状保持メンバー２２５上でプレート２３５をかみ合わせる時に、管状シートブラケット２２３に対する、管状シートメンバー２２１の移動を制限する。
【００２４】
本明細書で記述した例の教義にしたがってアセンブリしたバイアス装置は、アクチュエータを組立および／または分解するための安全性を改善し、複雑さおよび／または必要な時間を減少させるバイアス装置に関する。例えば、本明細書で記述したような、本開示物の教義にしたがって組み立てたバイアス装置は、アクチュエータを、まずアクチュエータ中に配置されたばねを圧縮および／または減圧する必要なしに、組立および／または分解可能である。さらに、本明細書で開示したバイアス装置は、ばねまたはバイアス要素の結合の可能性、およびばねまたはバイアス要素の改善された軸性能を減少させる。さらに、開示されたバイアス装置は、ばねまたはバイアス要素が、バイアス装置中で先に圧縮され、維持されるので、アクチュエータの組立の間、安全性を改善する。
【００２５】
ある例示方法、装置および製造論説が本明細書で開示されてきたが、本発明の対象範囲はそれらに限定されない。反対に、本発明は、そのまま、または等価の原則のもとのいずれかで、付随する請求項の範囲内に適正に入る、すべての方法、装置および製造論説を対象とする。
【図１】
2013541685.tif 000003
【図２】
2013541685.tif 000004
【図３】
2013541685.tif 000005
【図４】
2013541685.tif 000006
【図５】
2013541685.tif 000007
【図６】
2013541685.tif 000008
【図７】
2013541685.tif 000009
【図８】
2013541685.tif 000010
【図９】
2013541685.tif 000011
【図１０】
2013541685.tif 000012
【図１１】
2013541685.tif 000013
【図１２】
2013541685.tif 000014
【図１３】
2013541685.tif 000015
【図１４】
2013541685.tif 000016
【国際調査報告】
2013541685.tif 000017
2013541685.tif 000018